(57)【要約】      （修正有）【課題】簡単にブラウスやネクタイ等から取りはずすことができる磁石式アクセサリーを提供する。【解決手段】この磁石式アクセサリー１１は、種々のモチーフの装身具の装飾部分の背面に設けた保持枠１３に磁石１４を取り付けるとともに、当該磁石に吸着させる対向する保持枠１５に磁石１６を固定した磁石式アクセサリーであって、前記装飾部分の保持枠および磁石よりも前記対向する保持枠および磁石を大きく形成するとともに、前記対向する保持枠の外周に該保持枠よりも薄肉のつば片１７を設けたことを特徴とする。【選択図】図１
0003166572.tif 000002
【実用新案登録請求の範囲】
【請求項１】
種々のモチーフの装身具の装飾部分の背面に設けた第１の保持枠に磁石を取り付けるとともに、当該磁石に吸着させる前記第１の保持枠に対向して配置した第２の保持枠に磁石を固定した磁石式アクセサリーであって、
前記装飾部分の第１の保持枠および磁石よりも前記第２の保持枠および磁石を大きく形成するとともに、前記第２の保持枠の底部外周に当該第２の保持枠よりも薄肉のつば片を突設したことを特徴とする磁石式アクセサリー。
【請求項２】
前記第２の保持枠の外周に設けた薄肉のつば片が、不連続に形成されたものであることを特徴とする請求項１記載の磁石式アクセサリー。
【請求項３】
前記一対の保持枠が、その間をチェーンもしくは紐類で連結したことを特徴とする請求項１記載の磁石式アクセサリー。
【考案の詳細な説明】
【技術分野】
【０００１】
この考案は磁石どうしで、衣服及びネクタイの両面から固定させるアクセサリー類似の磁石式アクセサリーに関するものである。
【背景技術】
【０００２】
指輪やイヤリング、ネックレス、ブレスレット等の、直接肌につけるアクセサリーより、ブラウスやネクタイ等とアクセサリーを固定させて使う、アクセサリー等の利用頻度が低い原因の１つとしては、固定させる方法に針を用いる場合、ブラウスやネクタイ等に針穴の跡が残るのを承知の上で使用するか、針穴の跡が残るのは困るのであきらめて使用しないか、どちらかを選択せざるを得なかったからである。
【０００３】
また、従来のワッペン・アップリケ・エンブレム等はアイロンを使って貼ったり、縫い付けたりして使用していたが、そのやり方では１つの衣服にしか着用できず、また洗濯時には取りはずす等と面倒であった。
【０００４】
そのため、固定させる方法として磁石を用いることにより、着脱が自由でかつブラウスやネクタイ等に針穴の跡が残らないようにした磁石式アクセサリーが提案されている。
例えば、実開昭６３−１１７３０９号公報（特許文献１参照）のように、アクセサリーの裏に磁石を取り付け、該磁石ともう一つの磁石で布を挟むようにした磁石付きアクセサリーが提案されている。
また、実開平６−４１５１７号公報（特許文献２参照）のように、衣服をプリント・デザイン塗装した磁石で挟んで固定する、衣服およびネクタイの両面から磁石で固定するアクセサリーも提案されている。
【先行技術文献】
【特許文献】
【０００５】
【特許文献１】実開昭６３−１１７３０９号公報
【特許文献２】実開平６−４１５１７号公報
【考案の開示】
【考案が解決しようとする課題】
【０００６】
しかしながら、従来のアクセサリーの裏に磁石を取り付け、該磁石ともう一つの磁石でブラウスやネクタイ等を挟むようにした磁石付きアクセサリーにおいては、近年の磁石の吸着力の飛躍的な向上のためにブラウスやネクタイ等から取りはずすのに手間がかかるという問題があった。
本考案はそういった悩みを解消するためになされたものであり、簡単にブラウスやネクタイ等から取りはずすことができる磁石式アクセサリーを提供しようとするものである。
【課題を解決するための手段】
【０００７】
すなわち、この考案の磁石式アクセサリーは、種々のモチーフの装身具の装飾部分の背面に設けた第１の保持枠に磁石を取り付けるとともに、当該磁石に吸着させる、前記第１の保持枠に対向して配置した第２の保持枠に磁石を固定した磁石式アクセサリーであって、
前記装飾部分の第１の保持枠および磁石よりも前記第２の保持枠および磁石を大きく形成するとともに、前記第２の保持枠の底部外周に当該第２の保持枠よりも薄肉のつば片を突設したことを特徴とするものである。
【０００８】
この考案の磁石式アクセサリーは、前記第２の保持枠の底部外周に設けた薄肉のつば片が、不連続に形成されたものであることをも特徴とするものである。
【０００９】
この考案の磁石式アクセサリーは、前記一対の保持枠が、その間をチェーンもしくは紐類で連結したことをも特徴とするものである。
【考案の効果】
【００１０】
本考案によれば、迅速かつ確実にブラウスやネクタイ等から取りはずすことができる磁石式アクセサリーを提供することが可能である。
【図面の簡単な説明】
【００１１】
【図１】この考案の磁石式アクセサリーの実施の形態を示す斜視図である。
【図２】その使用状態を示す側面図である。
【図３】その概略断面図である。
【考案を実施するための形態】
【００１２】
以下、この考案の磁石式アクセサリーの実施の形態を図面に基いて詳細に説明する。
図１ないし図３において、この考案の磁石式アクセサリー１１は、種々のモチーフの装身具の装飾部分１２の背面に設けた第１の保持枠１３に磁石１４を取り付けるとともに、ブラウスやネクタイ等の布地２１を挟んで当該磁石１４に吸着させる、前記第１の保持枠１３に対向して配置した第２の保持枠１５に磁石１６を固定したものである。
【００１３】
前記装飾部分１２の形態としては、図のクモ、あるいは蝶やトンボ、鳥獣類などの動物、また花や果実等の植物、その他の種々のモチーフを採用することができる。
前記保持枠１３，１５の素材としては、金や銀、プラチナ等の貴金属やその他の金属、プラスチックその他の素材を採用することができる。
【００１４】
そして、前記装飾部分１２の第１の保持枠１３および磁石１４よりも前記第２の保持枠１５および磁石１６を大きく形成してある。
それと同時に、前記第２の保持枠１５の底部外周に該保持枠１５よりも薄肉のつば片１７が設けてある。
【００１５】
このように、この考案は第１の保持枠１３よりも前記第２の保持枠１５を大きく形成すると同時に、前記第２の保持枠１５の底部外周に該保持枠１５よりも薄肉のつば片１７を設けることを特徴とするものである。
そのような機構の採用によって、迅速かつ確実にブラウスやネクタイ等の布地２１から取りはずすことができるという顕著な効果を奏することができることを見出したのである。
【００１６】
この考案の磁石式アクセサリー１１は、前記第２の保持枠１５の底部外周に設けた薄肉のつば片１７が、さらに不連続に形成された複数のつば片１７からなることをも特徴としている。
このように、前記第２の保持枠１５の底部外周に設けた薄肉のつば片１７として不連続に形成された複数のつば片１７を採用することにより、第２の保持枠１５を指でつまみやすくなって、操作性が向上するのである。
【００１７】
この考案の磁石式アクセサリー１１は、前記一対の保持枠１３，１５が、その間をチェーンもしくは紐類１８で連結してもよい。
前記チェーンもしくは紐類１８の素材は、保持枠１３，１５とのなじみのよさやデザイン性等を勘案して適宜決定することができる。
【産業上の利用可能性】
【００１８】
この考案の磁石式アクセサリーは、ブローチやネクタイ止めのみならず、身体や服飾に装着する種々のアクセサリーとして好適に利用できることはいうまでもない。
【符号の説明】
【００１９】
１１  磁石式アクセサリー
１２  装飾部分
１３  第１の保持枠
１４  磁石
１５  第２の保持枠
１６  磁石
１７  つば片
１８  チェーンもしくは紐類
【図１】
0003166572.tif 000003
【図２】
0003166572.tif 000004
【図３】
0003166572.tif 000005